(57)【要約】【課題】携帯電話などの記憶領域に制限のある小型の携帯端末を使用して、エレベーター制御盤の記憶部から故障情報を容易に読み出し、故障箇所を迅速に特定できるエレベーターの故障箇所判定支援装置の提供。【解決手段】エレベーター制御盤３に通信変換装置２を接続し、この通信変換装置２に、故障情報を記憶部３３に格納するアドレス情報を記憶する故障情報アドレス記憶部２８と、制御盤の機種に対応した通信データ形式を選択する通信データ形式記憶部２７と、携帯端末装置との通信を行う無線通信部２３、エレベーターとの通信を行う有線通信部２１を備え、携帯端末機１の操作で、通信変換装置２が制御盤３の故障情報を読み出し、この読み出した故障情報に基づいて故障箇所を判定する際の手引き情報を携帯端末１の表示部１３に表示する。【選択図】図１
2005154107.tif 000002
【特許請求の範囲】
【請求項１】
複数の接点を含む電気回路を有する制御盤に接続され、この制御盤に備えられる記憶部から前記電気回路の故障情報を読み出して表示部に表示するようにしたエレベーターの故障箇所判定支援装置において、エレベーター制御盤に通信変換装置を接続し、この通信変換装置に、前記故障情報を前記記憶部に格納するアドレス情報を記憶する故障情報アドレス記憶部と、前記制御盤の機種に対応した通信データ形式を選択する通信データ形式選択手段を備えたことを特徴とするエレベーターの故障箇所判定支援装置。
【請求項２】
請求項１において、エレベーター制御盤に通信変換装置を接続した通信変換装置は、携帯端末装置との通信を行う手段と、エレベーターとの通信を行う手段と、前記２つの通信の入出力を変換する手段を備えたことを特徴とするエレベーターの故障箇所判定支援装置。
【発明の詳細な説明】
【技術分野】
【０００１】
本発明は、エレベーターの保守装置に係り、特にマイクロコンピューター（以下、マイコンと称する）を用いて制御盤を制御するように構成したエレベーターの故障原因を究明するのに好適なエレベーターの故障箇所判定支援装置に関する。
【背景技術】
【０００２】
エレベーターが設置された建物に居住する居住者や出入りする関係者にとって、エレベーターは生活や活動のための昇降手段として必需品になっているため、エレベーターの故障は利用者の生活や活動に大きな支障を来す。そのため、エレベーターが故障した際に、その対策を迅速に行えるようにするために様々な工夫が施されている。
【０００３】
例えば、エレベーターと通信ケーブルで接続した携帯端末機が故障符号データを読み出し、この読み出した故障符号に基づいて故障箇所を判定する際の手引き情報を表示するものがある（特許文献１参照）。この公知例は、携帯端末機に、機種別に異なる通信方式を持ったエレベーターと通信するため通信データ形式を複数保持し、さらに、故障符号データを読み出すためのアドレス情報や、手引き情報等もエレベーター機種別に保持しているので、各種エレベーターに対して、迅速な故障対応が行える。
【０００４】
また、作業性を向上するため、エレベーターとの通信に関して無線通信を使用し、エレベーターホールにて作業可能とするようにしたものがある（特許文献２参照）。この公知例は、昇降路内に制御盤を設置した時など、昇降路に入ることなくエレベーターホールで作業可能とするため、エレベーターホールに制御盤と無線によるデータ通信を行う通信用コネクタなどの端子を設けたもので、故障によってエレベーターが動作せず、昇降路に移動することができない場合でも、エレベーターホールから故障対応が行える。
【特許文献１】特開平１１−２９２４２０号公報（段落００１３〜００２２、第１図）
【特許文献２】特開平１１−２６３５４６号公報（段落００１０〜００１６、第１図）
【発明の開示】
【発明が解決しようとする課題】
【０００５】
ところで、上述した従来技術では、エレベーターの機種別に、通信するための通信データ形式、故障符号を読み出すためのアドレス情報、手引き情報等を複数保持しなければならず、携帯端末機のプログラムやデータのサイズが大きくなり、記憶領域に制限がある携帯電話などを携帯端末機として使用する時、全ての機能を実現できないといった問題がある。無線用通信コネクタなどの端子を使用した場合においても、信号を電気的に変換し無線化したもので、携帯端末機から通信する時、上述と同様、様々な通信データ形式に対応する必要がある。また、全ての機能を携帯端末機に保持しているため、携帯端末機の故障や寿命により携帯端末機を交換する時、全てのプログラムやデータを作り直す必要がある。
【０００６】
本発明はこのような従来技術における実情に鑑みてなされたもので、その目的は、携帯電話などの記憶領域が少ない携帯端末機を使用して、エレベーターの故障情報を制御盤から容易に読み出し故障原因を特定できるとともに、携帯端末機を作り直す時にプログラム変更を少なくすることのできるエレベーターの故障箇所判定支援装置を提供することにある。
【課題を解決するための手段】
【０００７】
上記目的を達成するため、本発明は、複数の接点を含む電気回路を有する制御盤に接続され、この制御盤に備えられる記憶部から前記電気回路の故障情報を読み出して表示部に表示するようにしたエレベーターの故障箇所判定支援装置において、エレベーター制御盤に通信変換装置を接続し、この通信変換装置に、前記故障情報を前記記憶部に格納するアドレス情報を記憶する故障情報アドレス記憶部と、前記制御盤の機種に対応した通信データ形式を選択する通信データ形式選択手段と、エレベーター制御盤に通信変換装置を接続した通信変換装置は、携帯端末装置との通信を行う手段と、エレベーターとの通信を行う手段と、前記２つの通信の入出力を変換する手段を備えた構成にしてある。
【発明の効果】
【０００８】
携帯電話のような記憶量に制限のある小型の携帯端末機において、エレベーターの故障情報データを読み出し手引き情報を容易に表示することができる。また、携帯端末機の故障や寿命により携帯端末機を交換する時、全てのプログラムやデータを作り直す必要がなく、最小限の変更で容易に携帯端末機を交換できるという効果がある。
【発明を実施するための最良の形態】
【０００９】
以下、本発明のエレベーターの故障箇所判定支援装置の実施の形態を図に基づいて説明する。
【００１０】
図１は本発明の一実施形態に係るエレベーターの故障箇所判定支援装置の構成を示すブロック図、図２は本実施形態のエレベーターの故障箇所判定支援装置の処理手順を示すフローチャートである。図１において、通信変換装置２はエレベーター制御盤３に有線で接続されている。このエレベーター制御盤３は、図示しない複数の接点を含む電気回路を有しており、制御盤３内の各部の制御や通信変換装置２との通信制御を行うとともに故障発生時の故障情報の記憶制御を行う制御部３２と、通信変換装置２との通信を司る有線通信部３１と、故障符号を記憶する記憶部３３とを備えている。
【００１１】
通信変換装置２は、制御盤３との間のデータ授受を、例えばＲＳ−２３２Ｃ通信などで有線にて行うための有線通信部２１と、携帯端末機１との間のデータ授受を、例えば赤外線や電波などで無線にて行うための無線通信部２３と、有線通信部２１の電気信号と無線通信部２３の電気信号を互いに入出力可能となるように電気的に変換するための通信変換部２２と、通信変換装置２内の各部を制御して情報の読み出し動作などを制御する制御部２４と、エレベーターの機種毎の機種符号を記憶する機種符号記憶部２６と、エレベーターの機種ごとに異なる各種の通信データ形式に関する情報を記憶する通信データ形式記憶部２７と、エレベーターの機種ごとに異なるアドレス情報（すなわち故障情報を記憶部３１に格納するアドレスに関する情報）を記憶する故障情報アドレス記憶部２８と、記憶部３３より読み出した故障情報を格納する故障情報データ記憶部２５とを備えている。
【００１２】
携帯端末機１は、通信変換装置２との通信を司る無線通信部１１と、携帯端末機１内の各部を制御して情報の読み出し動作や画面表示などを制御する制御部１２と、故障情報や指示情報を表示する画面表示部１３と、故障情報の読み出しを開始するための操作を行う操作部１４と、インターネットを経由してｗｗｗサーバー４との通信を司る電話通信部１５とを備えている。
【００１３】
また、ｗｗｗサーバー４は故障情報データー手引き情報に翻訳するための故障情報翻訳記憶部４１を備えている。
【００１４】
この実施形態にあっては、図２に示す処理手順に従ってエレベーター故障箇所の判定支援を行うようになっている。すなわち、エレベーター故障発生の通報に応じて顧客ビルに出動した保守員は、手順Ｓ１として、携帯した携帯電話などの携帯端末機１の操作部１４を操作し、無線通信部１１を介してあらかじめ設定されている通信変換装置２の無線通信部２３と通信し、機種符号記憶部２６より取得した機種情報を画面表示部１３に表示する。手順Ｓ２として、画面表示部１３より故障情報の読み出し対象となるエレベーターの機種を操作部１４により選択、決定し、通信変換装置２に送信する。手順Ｓ３として、前記指定されたエレベーターの機種情報に基づいて、通信データ記憶部２７より該当する通信データ形式と、故障情報アドレス記憶部２８より該当する故障アドレスを決定する。手順Ｓ４として、前記決定した通信データ形式に故障情報データの読み出し開始情報を登録し、有線通信部２１を介してエレベーター制御盤３の有線通信部３１に送信する。ここで通信データ形式は、例えば、故障情報データ読み出し開始を指示するような処理指示コード、６バイトの情報量からなるアドレスデータ、送受信データのデータサイズ等を登録することができるものとする。手順Ｓ５として、前記決定したアドレスを通信データ形式に登録し、有線通信部２１を介してエレベーター制御盤３の有線通信部３１に送信する。エレベーター制御盤３の制御部３２は、指定を受けたアドレス情報に従い、記憶部３３の該当アドレスに関してデータを読み出し、有線通信部３１を介して、通信変換装置２の有線通信部２１に返送する。読み出した故障情報は故障情報データ記憶部２５に登録しておく。手順Ｓ６として、携帯端末機１を操作して無線通信部１１から通信変換装置２の無線通信部を介して故障情報データ記憶部２５の前記エレベーター記憶部３３より読み出した故障情報データを読み出す。手順Ｓ７として、前記読み出した故障情報データを電話通信部１５を介してインターネットに接続し、ｗｗｗサーバー４へ前記読み出した故障情報データを送信する。手順Ｓ８として、ｗｗｗサーバー４は受信した故障情報データを故障情報翻訳文言記憶部４１により翻訳し手引き情報を作成する。手順Ｓ９として、前記翻訳された手引き情報を携帯端末機１の画面表示部１３に表示する。
【００１５】
このように構成した実施形態では、故障情報データを読み出すためのエレベーター機種に依存するプログラムやデータを通信変換装置２に保持するようにしたため、携帯電話のような記憶量に制限のある小型の携帯端末機１においても、エレベーターの故障情報データを読み出し手引き情報を容易に表示することができる。携帯端末機１の故障や寿命により携帯端末機１を交換する時、全てのプログラムやデータを作り直す必要がなく、最小限の変更で容易に携帯端末機１を交換できる。
【図面の簡単な説明】
【００１６】
【図１】本発明の一実施形態に係るエレベーターの故障箇所判定支援装置の構成を示すブロック図である。
【図２】本実施形態のエレベーターの故障箇所判定支援装置の処理手順を示すフローチャートである。
【符号の説明】
【００１７】
１    携帯端末機
１１    無線通信部
１２    制御部
１３    画面表示部
１４    操作部
１５    電話通信部
２    通信変換装置
２１    有線通信部
２２    通信変換部
２３    無線通信部
２４    制御部
２５    故障情報データ記憶部
２６    機種符号記憶部    
２７    通信データ形式記憶部
２８    故障情報アドレス記憶部
３    エレベーター制御盤
３１    有線通信部  
３２    制御部
３３    記憶部
４    ｗｗｗサーバー
４１    故障情報翻訳文言記憶部
【図１】
2005154107.tif 000003
【図２】
2005154107.tif 000004